(57)【要約】  毛切断アセンブリ用の毛ガイド（500,740）が提供される。毛切断アセンブリは、切断ユニット支持部材（102,720）と、少なくとも２つの切断ユニット（106,108,110,722,724,726）とを有し、各切断ユニットは、外部切断部材（112,728）と、回転軸（x）周りに外部切断部材に対して回転可能である内部切断部材とを有し、外部切断部材は、環状切断ゾーン（114）であって、少なくとも切断ゾーンの主環状壁（115）内に設けられた毛入口開口部（116,728a）を有する環状切断ゾーンを有し、各切断ユニットは、切断ユニット支持部材に対して枢動可能である。毛ガイドは：毛切断アセンブリの切断ユニット支持部材に結合されるように構成される毛ガイド支持部材（502,742）、および、各々が中心軸（y）と、中心軸（y）に対して半径方向に延びる主方向を有するとともに中心軸周りに延びる環状毛ガイドゾーンに配置される複数の毛ガイド要素（512）を有する、少なくとも２つの環状毛ガイド部材（506,508,510,744,746,748）を有し、各環状毛ガイド部材は、毛ガイド支持部材が毛切断アセンブリに結合されるとき、複数の毛ガイド要素がそれぞれの切断ユニットの主環状壁を部分的に覆うように、環状毛ガイド部材が、毛切断アセンブリの少なくとも２つの切断ユニットのそれぞれの１つに関連付けられるように、毛ガイド支持部材に対して配置され、各環状毛ガイド部材は、毛ガイド支持部材が毛切断アセンブリに結合されるとき、環状毛ガイド部材がそれぞれの切断ユニットと共に枢動可能であるように、毛ガイド支持部材に対して枢動可能である。
2021525562.tif 000002
【特許請求の範囲】
【請求項１】
毛切断アセンブリ用の毛ガイドであって、前記毛切断アセンブリは、切断ユニット支持部材と少なくとも２つの切断ユニットとを有し、各前記切断ユニットは、外部切断部材と、回転軸周りに前記外部切断部材に対して回転可能である内部切断部材とを有し、前記外部切断部材は、環状切断ゾーンであって、少なくとも前記切断ゾーンの主環状壁内に設けられる毛入口開口部を有する環状切断ゾーンを有し、各前記切断ユニットは、前記切断ユニット支持部材に対して枢動可能であり、前記毛ガイドは：
−  前記毛切断アセンブリの前記切断ユニット支持部材に結合されるように構成される毛ガイド支持部材、および
−  少なくとも２つの環状毛ガイド部材であって、各々が中心軸と、前記中心軸に対して半径方向に延びる主方向を有するとともに前記中心軸周りに延びる環状毛ガイドゾーンに配置される複数の毛ガイド要素とを有する、少なくとも２つの環状毛ガイド部材、
を有し、
−  各前記環状毛ガイド部材は、前記毛ガイド支持部材が前記毛切断アセンブリに結合されるとき前記複数の毛ガイド要素がそれぞれの前記切断ユニットの前記主環状壁を部分的に覆うように、前記環状毛ガイド部材が前記毛切断アセンブリの前記少なくとも２つの切断ユニットのそれぞれの切断ユニットに関連付けられるように、前記毛ガイド支持部材に対して配置され、
−  各前記環状毛ガイド部材は、前記毛ガイド支持部材が前記毛切断アセンブリに結合されるとき、前記環状毛ガイド部材がそれぞれの前記切断ユニットと共に枢動可能であるように、前記毛ガイド支持部材に対して枢動可能である、
毛ガイド。
【請求項２】
前記毛ガイド支持部材が前記毛切断アセンブリに結合されるとき、前記毛ガイド要素の遠位部分は、それぞれの前記切断ユニットの前記外部切断部材の外面から離れる成分を持つ方向に延びる、
請求項１に記載の毛ガイド。
【請求項３】
それぞれの前記環状毛ガイド部材は、それぞれの前記環状毛ガイド部材の中心から前記環状毛ガイド部材の間の中心点まで延びる線に対して垂直に配置される枢動軸周りに枢動可能である、
請求項１又は２に記載の毛ガイド。
【請求項４】
前記毛ガイド支持部材が前記毛切断アセンブリに結合されるとき、前記環状毛ガイド部材の各々は、それぞれの前記切断ユニットの枢動軸と整列される枢動軸周りに枢動可能である、
請求項１又は２に記載の毛ガイド。
【請求項５】
前記毛ガイドは、３つの前記環状毛ガイド部材を有し、前記環状毛ガイド部材の各々の前記枢動軸は、他の前記環状毛ガイド部材の前記枢動軸に対して１２０度に配置される、
請求項３又は４に記載の毛ガイド。
【請求項６】
各前記切断ユニットの前記環状切断ゾーンはさらに、前記外部切断部材の中央壁部分を取り囲む内側側壁を有し、前記中央壁部分は、少なくとも前記内側側壁に隣接する環状凹部領域において、前記主環状壁に対して凹み、各前記環状毛ガイド部材の前記毛ガイド要素のうちの少なくとも１つは、前記中心軸からある距離に配置される内方に向けられた丸い端部であって、前記毛ガイド支持部材が前記毛切断アセンブリに結合されるとき、前記丸い端部が前記中心軸に対して半径方向に、少なくとも部分的にそれぞれの前記切断ユニットの前記内側側壁の内方に配置され、且つ前記中心軸に対して軸方向に、それぞれの前記切断ユニットの前記環状凹部領域からある距離に配置されるようになる、内方に向けられた丸い端部を有する、
請求項１乃至５のいずれか１項に記載の毛ガイド。
【請求項７】
前記毛ガイド支持部材は、前記毛切断アセンブリの前記切断ユニット支持部材に取り外し可能に結合可能であるように構成される、
請求項１乃至６のいずれか１項に記載の毛ガイド。
【請求項８】
請求項１乃至６のいずれか１項に記載の毛ガイドを有し、さらに、切断ユニット支持部材と、少なくとも２つの切断ユニットとを有する毛切断アセンブリであって、各前記切断ユニットは、外部切断部材と、回転軸周りに前記外部切断部材に対して回転可能である内部切断部材とを有し、前記外部切断部材は、少なくとも前記切断ゾーンの主環状壁に設けられた毛入口開口部を有する環状切断ゾーンを有し、各前記切断ユニットは、前記切断ユニット支持部材に対して枢動可能であり、前記毛ガイド支持部材は、前記切断ユニット支持部材に対して固定位置に配置される、
毛切断アセンブリ。
【請求項９】
前記毛ガイド支持部材は、前記切断ユニット支持部材と一体に形成される、
請求項８に記載の毛切断アセンブリ。
【請求項１０】
各前記環状毛ガイド部材は、それぞれの前記切断ユニットを取り囲むとともに支持し、前記毛ガイド支持部材に対して枢動可能である、環状支持要素を有し、前記環状毛ガイド部材の前記毛ガイド要素は、前記環状支持要素に対して静止位置に配置される、
請求項８又は９に記載の毛切断アセンブリ。
【請求項１１】
請求項８乃至１０のいずれか１項に記載の毛切断アセンブリを有し、さらに、前記毛切断アセンブリの前記切断ユニットの前記内部切断部材を回転可能に駆動するアクチュエータを収容するメインボディを有する、
毛切断装置。
【請求項１２】
前記毛切断アセンブリは、前記メインボディに解放可能に結合される、
請求項１１に記載の毛切断装置。
【請求項１３】
毛切断システムのための部品のキットであって、前記キットは：
切断ユニット支持部材と少なくとも２つの切断ユニットとを有する毛切断装置であって、各前記切断ユニットは、外部切断部材と、回転軸周りに前記外部切断部材に対して回転可能である内部切断部材とを有し、前記外部切断部材は、環状切断ゾーンであって、少なくとも前記切断ゾーンの主環状壁に設けられた毛入口開口部を有する環状切断ゾーンを有し、各前記切断ユニットは、前記切断ユニット支持部材に対して枢動可能であり、前記毛切断装置はさらに、前記切断ユニットの前記内部切断部材を回転可能に駆動するアクチュエータを収容するメインボディを有する、毛切断装置と；
請求項１乃至６のいずれか１項に記載の毛ガイドを有する毛切断アクセサリであって、前記毛ガイド支持部材は、前記毛切断装置の前記切断ユニット支持部材に取り外し可能に結合可能であるように構成される、毛切断アクセサリと；
を有する、
部品のキット。
【請求項１４】
毛切断システムのための部品のキットであって、前記キットは：
切断ユニット支持部材と、少なくとも２つの切断ユニットとを有する第１の毛切断アクセサリであって、各前記切断ユニットは、外部切断部材と、回転軸周りに前記外部切断部材に対して回転可能である内部切断部材とを有し、前記外部切断部材は、環状切断ゾーンであって、少なくとも前記切断ゾーンの主環状壁に設けられる毛入口開口部を有する環状切断ゾーンを有し、各前記切断ユニットは、前記切断ユニット支持部材に対して枢動可能である、第１の毛切断アクセサリと、
請求項８乃至１０のいずれか１項に記載の毛切断アセンブリを有する第２の毛切断アクセサリと、
を有し、
−  前記第２の毛切断アクセサリの前記毛切断アセンブリの前記切断ユニットの前記毛入口開口部は、前記第１の毛切断アクセサリの前記切断ユニットに設けられる前記毛入口開口部より大きい幅を有する、
部品のキット。
【請求項１５】
前記第１および前記第２の毛切断アクセサリの前記切断ユニットの前記内部切断部材を回転可能に駆動するためのアクチュエータを収容するメインボディをさらに有し、前記第１および前記第２の毛切断アクセサリは、前記メインボディに交換可能に結合可能である、
請求項１４に記載の部品のキット。
【発明の詳細な説明】
【技術分野】
【０００１】
本開示は、毛切断アセンブリのための毛ガイドに関する。
【背景技術】
【０００２】
電気式毛切断装置は、身体の毛を切るために広く使用されており、典型的には、ハンドルおよび切断ヘッドを含む。外部切断部材と、切断動作を行うために外部切断部材に対して回転する内部切断部材とを有する回転カッタが知られている。幾つかの構成では、外部切断部材は、複数の毛入口開口部を有することがあり、内部切断部材は、毛入口開口部内に延びる毛を切断する複数の鋭い要素を有することがある。
【０００３】
切断するために毛を毛入口開口部に導くために、毛ガイドが設けられることがある。毛ガイドは、切断ヘッドがユーザの皮膚を横切って移動するときに、毛を毛入口開口部に向かって操るように構成されることがある。また、このような毛ガイドは、切断後に残る毛の長さを制御することもできる。
【０００４】
いくつかの例では、毛ガイドの外面は、予め設定された距離より短い毛は切断されず、例えば予め設定された距離より長くならないように予め設定された距離より長い毛が切断されるように、予め設定された距離だけ切断ヘッドの外面から離間される。このような毛ガイドの例は、特許文献１に開示されており、そこでは、変化する厚さのさらなるグリッドが、皮膚から所定の距離で毛を切断するために、切断ヘッドの基本グリッド上に取り付け可能である。
【０００５】
しかしながら、このタイプの毛ガイドは、特に皮膚の凸部領域において、毛切断装置が使用されるとき、ユーザの皮膚に圧力ピークを生じさせる可能性がある。さらに、グリッドを既存のグリッドの頂部に取り付けることは、特に耳の近くおよび鼻の下の毛切断装置の到達可能性を低下させる可能性がある。
【０００６】
さらに、このタイプの毛ガイドはまた、毛が毛切断装置の切断部材にアクセスするのを妨げ、それによって、切断効率を低下させ、毛切断に要する時間を増加させ、毛切断によって引き起こされる皮膚刺激を増加させる可能性がある。
【先行技術文献】
【特許文献】
【０００７】
【特許文献１】欧州特許出願公開第２４８１５３５号
【発明の概要】
【０００８】
本発明の一態様によれば、毛切断アセンブリ用の毛ガイドが提供され、毛切断アセンブリは、切断ユニット支持部材と少なくとも２つの切断ユニットとを有し、各切断ユニットは、外部切断部材と、回転軸周りに外部切断部材に対して回転可能である内部切断部材とを有し、外部切断部材は、環状切断ゾーンであって、少なくとも切断ゾーンの主環状壁内に設けられる毛入口開口部を有する環状切断ゾーンを有し、各切断ユニットは、切断ユニット支持部材に対して枢動可能（pivotable）であり、前記毛ガイドは：
−  毛切断アセンブリの切断ユニット支持部材に結合されるように構成される毛ガイド支持部材、および
−  各々が中心軸と、中心軸に対して半径方向に延びる主方向を有するとともに中心軸周りに延びる環状毛ガイドゾーンに配置される複数の毛ガイド要素とを有する、少なくとも２つの環状毛ガイド部材、
を有し、
−  各環状毛ガイド部材は、毛ガイド支持部材が毛切断アセンブリに結合されるとき、複数の毛ガイド要素がそれぞれの切断ユニットの主環状壁を部分的に覆うように、環状毛ガイド部材が、毛切断アセンブリの少なくとも２つの切断ユニットのそれぞれの切断ユニットに関連付けられるように、毛ガイド支持部材に対して配置され、
−  各環状毛ガイド部材は、毛ガイド支持部材が毛切断アセンブリに結合されるとき、環状毛ガイド部材がそれぞれの切断ユニットと共に枢動可能であるように、毛ガイド支持部材に対して枢動可能である。
【０００９】
環状毛ガイド部材を毛ガイド支持部材に対して枢動可能であるように配置することによって、環状毛ガイド部材は、シェービング中にユーザの皮膚の形状に適合するように、毛切断アセンブリの切断ユニットと共に枢動可能である。これは、毛切断中、特に、皮膚の凸領域上で毛を切断するときに、ユーザの皮膚に加えられる圧力のピークを減少させる。
【００１０】
毛ガイド要素の遠位部分は、毛ガイド支持部材が毛切断アセンブリに結合されるときに、各切断ユニットの外部切断部材の外面、例えば、主環状壁から離れる成分を持つ方向に延び得る。例えば、毛ガイド要素の遠位部分は、対応する切断ユニットの回転軸に平行な方向の成分を有して外部切断部材の外面から離れて延び得る。
【００１１】
したがって、毛ガイド要素の遠位部分は、環状毛ガイド部材が枢動される角度に関係なく、毛を持ち上げ、外部切断部材の毛入口開口部に向かって毛を案内するように配置され得る。
【００１２】
毛ガイド要素の遠位部分は、切断ユニットの回転軸に対して外側切断要素の主環状壁の内方の毛ガイド要素の部分であり得る。代替的には、遠位部分の一部は、主環状壁と整列され得る、例えば、半径方向に整列され得る。
【００１３】
それぞれの環状毛ガイド部材は、他の環状毛ガイド部材の枢動軸とは異なる枢動軸周りに枢動可能である。各環状毛ガイド部材の枢動軸は、毛ガイド支持部材が毛切断アセンブリに結合されるときに、それぞれの切断ユニットの枢動軸と整列され得る。１つまたは複数の構成では、それぞれの環状毛ガイド部材は、それぞれの環状毛ガイド部材の中心から環状毛ガイド部材の間の中心点まで延びる線に対して垂直に配置される枢動軸周りに枢動可能であり得る。毛ガイドは、３つの環状毛ガイド部材を有し得、環状毛ガイド部材の各々は、他の環状毛ガイド部材の枢動軸に対して１２０度に配置される枢動軸周りに枢動可能である。
【００１４】
このように環状毛ガイド部材を構成することは、環状毛ガイド部材の外面が、環状毛ガイド部材が枢動される角度に応じて、凹面または凸面を形成することを可能にする上で有益である。
【００１５】
毛ガイド支持部材は、毛切断アセンブリの切断ユニット支持部材に取り外し可能に結合可能であるように構成され得る。代替的には、毛ガイド支持部材は、毛ガイド支持部材が切断ユニット支持部材の上方に配置されるように、毛切断装置用のハンドルに取り外し可能に結合可能であるように構成され得る。
【００１６】
各切断ユニットの環状切断ゾーンはさらに、外部切断部材の中央壁部分を取り囲む内側側壁を有し得る。中央壁部分は、少なくとも内側側壁に隣接する環状凹部領域において、主環状壁に対して凹み得る。各環状毛ガイド部材の毛ガイド要素のうちの少なくとも１つは、内方に向けられた丸い端部を有し得る。内方に向けられた丸い端部は、毛ガイド支持部材が毛切断アセンブリに結合されるとき、丸い端部が中心軸に対して半径方向に、少なくとも部分的にそれぞれの切断ユニットの内側側壁の内方に配置されるように、中心軸からある距離に配置され得る。追加的にまたは代替的に、内方に向けられた丸い端部は、毛ガイド支持部材が毛切断アセンブリに結合されるとき、丸い端部が、中心軸に対して軸方向に、それぞれの切断ユニットの環状凹部領域からある距離に配置されるように配置され得る。
【００１７】
本発明の別の態様によれば、毛切断アセンブリは、上述のような毛ガイドを有し、さらに、切断ユニット支持部材と、少なくとも２つの切断ユニットとを有し、各切断ユニットは、外部切断部材と、回転軸周りに外部切断部材に対して回転可能である内部切断部材とを有し、外部切断部材は、少なくとも切断ゾーンの主環状壁に設けられた毛入口開口部を有する環状切断ゾーンを有し、各切断ユニットは、切断ユニット支持部材に対して枢動可能であり、毛ガイド支持部材は、切断ユニット支持部材に対して固定位置に配置される。例えば、毛ガイド支持部材は、切断ユニット支持部材と一体に形成され得る。
【００１８】
各環状毛ガイド部材は、それぞれの切断ユニットを取り囲むとともに支持し、毛ガイド支持部材に対して枢動可能である環状支持要素を有し得る。環状毛ガイド部材の毛ガイド要素は、環状支持要素に対して静止位置に配置され得る。
【００１９】
本発明の別の態様によれば、毛切断装置は、上述したような毛切断アセンブリを有し、さらに、毛切断アセンブリの切断ユニットの内部切断部材を回転可能に駆動するアクチュエータを収容する、ハンドルなどのメインボディを有する。毛切断アセンブリは、メインボディに解放可能に結合され得る。
【００２０】
本発明の別の態様によれば、毛切断システムのための部品のキットが提供され、キットは：
切断ユニット支持部材と少なくとも２つの切断ユニットとを有する毛切断装置であって、各切断ユニットは、外部切断部材と、回転軸周りに外部切断部材に対して回転可能である内部切断部材とを有し、外部切断部材は、環状切断ゾーンであって、少なくとも切断ゾーンの主環状壁に設けられた毛入口開口部を有する環状切断ゾーンを有し、各切断ユニットは、切断ユニット支持部材に対して枢動可能であり、毛切断装置はさらに、切断ユニットの内部切断部材を回転可能に駆動するアクチュエータを収容するメインボディを有する、毛切断装置と；
本明細書に記載された毛ガイドを有する毛切断アクセサリであって、毛ガイド支持部材は、毛切断装置の切断ユニット支持部材に取り外し可能に結合可能であるように構成される、毛切断アクセサリと；
を有する。
【００２１】
本発明の別の態様によれば、毛切断システムのための部品のキットが提供され、キットは：
切断ユニット支持部材と、少なくとも２つの切断ユニットとを有する第１の毛切断アクセサリであって、各切断ユニットは、外部切断部材と、回転軸周りに外部切断部材に対して回転可能である内部切断部材とを有し、外部切断部材は、環状切断ゾーンであって、少なくとも切断ゾーンの主環状壁に設けられる毛入口開口部を有する環状切断ゾーンを有し、各切断ユニットは、前記切断ユニット支持部材に対して枢動可能である、第１の毛切断アクセサリと、
本明細書に記載された毛切断アセンブリを有する第２の毛切断アクセサリと、
を有し、
第２の毛切断アクセサリの毛切断アセンブリの切断ユニットの毛入口開口部は、第１の毛切断アクセサリの切断ユニットに設けられる毛入口開口部より大きい幅を有する。
【００２２】
第２の毛切断アクセサリの切断ユニットにより大きい幅の毛入口開口部を設けることは、ユーザの毛を切断する際の切断ユニットの性能、例えば、速度を改善する。第２の毛切断アクセサリの切断ユニットは、ユーザの皮膚に直接接触しないため、快適性に影響を及ぼさない。
【００２３】
キットは、第１及び第２の毛切断アクセサリの切断ユニットの内部切断部材を回転可能に駆動するためのアクチュエータを収容するハンドルなどのメインボディをさらに有し得る。第１および第２の毛切断アクセサリは、例えば、第１および第２の毛切断アクセサリのうちの１つが、メインボディアクチュエータによって回転可能に駆動されることができるように、メインボディに交換可能に結合可能であり得る。
【００２４】
不必要な努力の重複及び本明細書におけるテキストの反復を回避するために、特定の特徴が、本発明の１つ又は複数の態様又は実施形態のみに関連して説明される。しかしながら、技術的に可能である場合、本発明の任意の態様または実施形態に関連して説明される特徴はまた、本発明の任意の他の態様または実施形態と共に使用され得ることが理解されるべきである。
【図面の簡単な説明】
【００２５】
本発明をより良く理解するために、また、それがどのように実施され得るかをより明確に示すために、例として、添付の図面が参照される。
【００２６】
【図１】本発明を理解するために有用である先行技術の毛切断装置の概略斜視図である。
【図２】本発明を理解するために有用である、先行技術の毛ガイドの概略斜視図である。
【図３】図１の毛切断装置に取り付けられた図２の毛ガイドを有する従来技術の毛切断システムの概略斜視図である
【図４】図３の線Ａ−Ａに沿って取られた図３の従来技術の毛ガイドおよび毛切断装置の切断ユニットの概略断面図である;
【図５】図１の毛切断装置に取り付けられた、本発明による毛ガイドを有する、本発明による毛切断システムの概略斜視図である
【図６】図５の線Ｂ−Ｂに沿った、図５の毛切断装置の毛ガイドおよび切断ユニットの概略断面図である
【図７】本発明による毛切断アセンブリの概略斜視図である。
【図８】本発明の毛切断システムのための部品のキットの概略斜視図である。
【発明を実施するための形態】
【００２７】
図１は、概して、電気式回転シェーバの形態の従来技術の毛切断装置１００を示す。毛切断装置１００は、メインボディまたはハンドル１０４に取り付けられた切断ユニット支持部材１０２を有する。
【００２８】
切断ユニット支持部材１０２は、回転カッタの形態の第１、第２、及び第３の切断ユニット１０６、１０８、１１０を支持する。切断ユニット１０６、１０８、１１０は、切断ユニット支持部材１０２の上面の開口部に実質的に三角形配置で配置されている。切断ユニット１０６、１０８、１１０は、シェービング中にユーザの顔に良好に適合するように、切断ユニット支持部材１０２に対して枢動可能である。
【００２９】
切断ユニット１０６、１０８、１１０は、切断ユニットの外面、例えば外部表面が、凹面または凸面の部分を画定できるように、切断ユニット支持部材１０２に対して枢動可能である。例えば、切断ユニット１０６、１０８、１１０は、各特定の切断ユニットの中心から切断ユニット１０６、１０８、１１０のすべての間の中心点までの線に対して垂直であるように配置された各枢動軸１０６ａ、１０８ａ、１１０ａ周りに枢動するように構成され得る。３つの切断ユニットが設けられた図１に示す構成では、枢動軸は、互いに対して１２０度配置される。したがって、切断ユニットは、それらの間に凹面または凸面を画定するように、切断ユニットのすべての間の中心点に向かってまたは中心点から離れるように傾斜するように構成される。
【００３０】
各切断ユニット１０６、１０８、１１０は、形態および機能が実質的に同一であるため、切断ユニット１０６の１つのみが詳細に説明され、この説明は、他の２つの切断ユニット１０８、１１０に等しく適用されるべきである。
【００３１】
切断ユニット１０６は、外部切断部材１１２を有する。内部切断部材（図示せず）は、外部切断部材１１２の下に配置されている。内部切断部材は、回転軸ｘ周りに外部切断部材に対して回転可能である。内部切断部材は、ハンドル１０４に収容される、電気モータ（図示せず）などのアクチュエータによって回転するように駆動することができる。外部切断部材１１２は、環状切断ゾーン１１４をさらに有する。
【００３２】
環状切断ゾーン１１４は、主環状壁１１５を有し、そこには複数の毛入口開口部１１６が設けられる。毛入口開口部１１６は、毛が、毛入口開口部１１６の切断エッジと回転する内部切断部材の切断エッジとの間で切断されるように、切断ユニット１０６内に延びることを可能にする。毛入口開口部１１６は、良くバランスの取れたシェービング性能を提供するように、サイズが決められ、成形される。特に、毛入口開口部１１６は、毛が入ることを可能にし、一方、皮膚が内部切断部材に接触するのを防止し、それによってシェービングの間の皮膚の刺激を低減するように、サイズ決めされ、成形される。
【００３３】
切断ユニット１０６、１０８、１１０は、図４を参照して以下により詳細に説明される。
【００３４】
切断ユニット支持部材１０２は、それぞれの切断ユニット１０６、１０８、１１０の周囲に延び、切断ユニット１０６、１０８、１１０の周囲に切断ユニット支持部材の外面に延びる皮膚支持リム１０７、１０９、１１１によって切断ユニット１０６、１０８、１１０を支持する。
【００３５】
毛を剃るために、毛切断装置１００がユーザの皮膚の上を動かされると、皮膚支持リム１０７、１０９、１１１は、外部切断部材１１２への圧力を低減するために、切断ユニット１０６、１０８、１１０の周囲の皮膚を支持する。皮膚支持リム１０７、１０９、１１１はまた、例えば、毛切断装置１００がユーザの皮膚の上に移動される方向に、それぞれの切断ユニット１０６、１０８、１１０の前方で皮膚を締め付けるように作用し、これは毛を直立させることを補助し、切断ユニット１０６、１０８、１１０によって毛がより良く且つ近くで切断されることができるようにする。
【００３６】
皮膚支持リム１０７、１０９、１１１は、切断ユニット支持部材１０２に枢動可能に結合され、その結果、皮膚支持リム１０７、１０９、１１１は、切断ユニット１０６、１０８、１１０と同じ方法で、シェービング中にユーザの顔の形状に適合することができる。皮膚支持リム１０７、１０９、１１１は、対応するそれぞれの切断ユニット１０６、１０８、１１０と共に枢動するように構成され得る。代替的には、皮膚支持リム１０７、１０９、１１１は、切断ユニット１０６、１０８、１１０とは独立して枢動するように構成され得る。
【００３７】
また、毛切断装置１００は、以下に説明するように、毛ガイドの対応する結合部材と結合または係合する結合部材１２０を有する。図１では、結合部材１２０は、切断ユニット支持部材１０２上に形成される。しかしながら、同様に、結合部材が、ハンドル１０４上に追加的または代替的に形成されてもよいことが想定される。
【００３８】
図２は、毛切断装置１００と共に使用するための従来技術の毛ガイド２００を示す。毛ガイド２００は、毛ガイド２００のメインボディの形態の毛ガイド支持部材２０２を有する。支持部材２０２の内面は、毛切断装置１００の切断ユニット支持部材１０２の外面の形状に実質的に適合する。毛ガイド支持部材２０２は、毛ガイド２００を装置１００上の所定の位置に保持するように毛切断装置１００の結合部材１２０と取り外し可能に係合するための結合部材２０４を有する。このように、毛ガイド２００は、毛ガイド２００が切断ユニット支持部材１０２に結合されることなくまたは毛ガイド２００が切断ユニット支持部材１０２に結合された状態で、ユーザが毛切断装置を使用することができるように、毛切断装置１００の切断ユニット支持部材１０２に取り外し可能に結合可能であるように構成される。結合部材１２０、２０４は、詳細には示されていないが、例えば、スナップ接続を提供する形態で、当業者に知られた任意の好適な形態であり得る。
【００３９】
毛ガイド２００は、さらに、３つの環状毛ガイド部材２０６、２０８、２１０を有する。環状毛ガイド部材２０６、２０８、２１０の各々は、毛ガイド２００が切断ユニット支持部材１０２に結合されるときに、切断ユニット１０６、１０８、１１０の各々と協働するように配置される。３つの環状毛ガイド部材２０６、２０８、２１０は実質的に同一であるため、環状毛ガイド部材２０６のうちの１つのみを詳細に説明する。
【００４０】
環状毛ガイド部材２０６は、毛ガイド２００が毛切断装置１００に結合されているときに、切断ユニット１０６の回転軸ｘと一致する中心軸ｙを有する。環状毛ガイド部材２０６は、毛ガイド支持部材２０２の円形開口部２１８の周囲に円周方向に等間隔で配置される複数の毛ガイド要素２１２をさらに有する。
【００４１】
毛ガイド要素２１２は、中心軸ｙの周りに延びる環状の毛ガイドゾーン２１４内に配置され、各々は、中心軸ｙに対して半径方向の延長の主方向を有する。図示された構成では、毛ガイド２００が切断ユニット支持部材１０２に結合されているとき、毛ガイド要素２１２は、それぞれの毛ガイド要素２１２に隣接する特定の毛入口開口部１１６の延長の主方向に平行に延びる。例えば、毛入口開口部１１６が直線状のスロットである場合、毛ガイド要素２１２は直線的に延び得る。代替的には、毛入口開口部１１６が弓形スロットである場合、毛ガイド要素２１２もまた、半径方向に隣接する毛入口開口部１１６の形状に従うように弓形であり得る。
【００４２】
図３に示すように、従来技術の毛ガイド２００は、毛ガイド２００の環状毛ガイド部材２０６、２０８、２１０が、切断ユニット支持部材１０２によって支持された切断ユニット１０６、１０８、１１０と整列するように、切断ユニット支持部材１０２の上に毛切断装置１００に取り付け可能である。使用時には、切断ユニット１０６、１０８、１１０の環状切断ゾーン１１４の頂部の環状毛ガイド部材２０６、２０８、２１０の存在は、皮膚と切断ユニット１０６、１０８、１１０の内部切断部材との間の距離を増大させるので、切断後に、残りの毛が、毛ガイド２００を使用せずに切断ユニット１０６、１０８、１１０によって切断される毛と比較して、より長い長さを有するようになる。したがって、毛ガイド２００の使用なしで、毛切断装置１００は、標準のシェービング機能を有し、毛ガイド２００を使用すると、毛切断装置１００は、毛トリミング機能を有する。
【００４３】
毛ガイド２００はまた、切断ユニット１０６、１０８、１１０の毛入口開口部１１６内に毛をより良好に案内して、毛の切断を改善するように機能する。
【００４４】
次に、従来技術のヘアガイド２００の切断ユニット支持部材１０２によって支持される切断ユニット１０６、１０８、１１０との協働について、図４を参照してより詳細に説明する。図４は、図３に示す線Ａ−Ａに沿った従来技術の毛切断装置１００及び従来技術の毛ガイド２００の切断ユニットの断面図を示す。より一般的には、図４は、毛ガイド２００が切断ユニット支持部材１０２に結合されるときの、切断ユニット支持部材１０２に支持された切断ユニット１０６の環状切断ゾーン１１４及び毛ガイド２００の環状毛ガイドゾーン２１４の半径方向に延びる断面を示している。
【００４５】
図４に明確に示すように、外部切断部材１１２の環状切断ゾーン１１４は、外部切断部材１１２の中央壁部分１１８を取り囲む内側側壁１１７と、環状切断ゾーン１１４の主環状壁１１５を取り囲む外側側壁１１３とを有する。内側側壁１１７は、中央壁部分１１８が主環状壁１１５に対して凹むように、回転軸ｘに対して部分的に半径方向内方に、切断ユニット支持部材１０２に向かって部分的に軸方向に、主環状壁１１５から延びる。したがって、内側側壁１１７は、主環状壁１１５と中央壁部分１１８との間に段付きまたは傾斜した移行部を形成する。したがって、内側側壁１１７に隣接する中央壁部分１１８の領域は、切断ユニット１０６の環状凹部領域と称され得る。この環状凹部領域は、回転軸ｘの軸方向における内側側壁１１７の長さだけ、主環状壁１１５から凹むと理解される。外側側壁１１３は、毛ガイド支持部材２０２及び毛ガイド２００の毛ガイド要素２１２によって囲まれる。
【００４６】
幾つかの構成では、中央壁部分１１８は、切断ユニット１０６（図示せず）のさらなる中央要素の周囲にリング状に延びる環状壁であり得る。しかしながら、他の構成では、中央壁部分１１８は、内側側壁１１７及び主環状壁１１５によって囲まれる切断ユニット１０６の中央領域を形成する実質的に円形の壁部分であり得る。このような構成では、内側側壁１１７に隣接する中央壁部分１１８の環状領域は、環状凹部領域であることが理解されるであろう。
【００４７】
環状毛ガイド部材２０６、２０８、２１０の各々の位置において、毛ガイド２００の毛ガイド支持部材２０２は、切断ユニット１０６、１０８、１１０のそれぞれに関連する円形開口部２１８を有し、その中に毛ガイド２００が切断ユニット支持部材１０２に取り付けられるときに、それぞれの切断ユニット１０６、１０８、１１０が少なくとも部分的に受け入れられ得る。
【００４８】
複数の毛ガイド要素２１２は、図２及び図３に示すように、各円形開口部２１８の周囲に沿って環状のくし状部を形成するために、円形開口部２１８の上方で略半径方向内側に延びる。各開口部２１８及びそのそれぞれの毛ガイド要素２１２は、環状毛ガイド部材２０６、２０８、２１０を形成する。
【００４９】
図４に示すように、毛ガイド２００が切断ユニット支持部材１０２に取り付けられるとき、毛ガイド要素２１２の各々は、それぞれの切断ユニット１０６、１０８、１１０の主環状壁１１５の上に配置される。したがって、環状毛ガイド部材２０６、２０８、２１０は、毛ガイド部材２０２が切断ユニット支持部材１０２に結合されるとき、複数の毛ガイド要素２１２が関連する切断ユニットの主環状壁１１５を部分的に覆うように、環状毛ガイド部材２０６、２０８、２１０が切断ユニット１０６、１０８、１１０のそれぞれの１つに結合されるように、毛ガイド２００の毛ガイド支持部材２０２に対して配置される。
【００５０】
図４に示される構成では、毛ガイド要素２１２は、内方に向けられた丸い端部２２０をさらに有する。丸い端部２２０は、根元部２１６と反対側の毛ガイド要素２１２の半径方向内側端部にあり、半径方向距離Ｄ２にわたって延びている。
【００５１】
丸い端部２２０は、中心軸ｙからある距離に配置され、毛ガイド２００が毛切断装置１００に結合されるとき、丸い端部２２０は、中心軸ｙに対して半径方向に関連する切断ユニットの環状切断ゾーン１１４の内側側壁１１７の少なくとも部分的に内側に配置される。したがって、丸い端部２２０は、中心軸ｙを含む平面で見たときに、中央壁部分１１８によって形成される環状凹部領域を少なくとも部分的に覆う。
【００５２】
しかしながら、中央壁部分１１８の上方の切断ユニット１０６、１０８、１１０の領域は、実質的に開口している、すなわち、中央壁部分１１８は、毛ガイド２００の毛ガイド要素２１２によって実質的に覆われていないことが理解されるべきである。切断ユニット１０６、１０８、１１０の各々のためのこの開放中央領域は、毛ガイド要素２１２の丸い端部２２０の間のスペース内への、そしてさらに主環状壁１１５に設けられた毛入口開口部１１６内への毛の自由なアクセスを可能にする。
【００５３】
さらに、丸い端部２２０は、中心軸ｙに対して軸方向に、関連する切断ユニットの内側側壁１１７に隣接する中央壁部分１１８の環状凹部領域から距離Ｄ３に配置される。換言すれば、前記軸方向において、丸い端部２２０は、前記距離Ｄ３だけ、環状凹部領域及び中央壁部分１１８から離間されている。従って、各毛ガイド要素２１２の丸い端部２２０は、中央壁部分１１８の環状凹部領域に距離Ｄ３だけ張り出し、関連する切断ユニット１０６、１０８、１１０又は支持部材２０２のいずれかの部分によって支持されていない主環状壁１１５から半径方向内方に突出する。
【００５４】
先に説明したように、切断ユニット１０６、１０８、１１０の中央壁部分１１８の環状凹部領域に張り出す丸い端部２２０の特定の構成の結果として、切断ユニット１０６、１０８、１１０は、それらの中央領域において、より容易に毛を受容することができる。毛は、これらの中央領域にマスクされず、毛ガイド２００が結合された毛切断装置１００が皮膚および毛成長方向に対して任意の方向に移動するとき、これらの中央領域から環状切断ゾーン１１４に向かってガイドされることができる。
【００５５】
毛ガイド要素２１２が半径方向内方に延び、切断ユニット１０６の周囲に沿って分布すると、毛ガイド要素２１２は必然的に皮膚に対して異なる方向に延びる。毛ガイド要素２１２のこの多方向配置は、毛の成長方向に依存しない毛の持ち上げおよびキャッチを可能にする。これは、毛切断装置が、同じ方向のストロークに沿った一貫した動きを必要とせずに、効果的に毛をカットすることができるので、経験の浅いユーザに特に有用であることができる。
【００５６】
毛ガイド要素２１２の丸い端部２２０はまた、毛ガイド２００を使用するときにユーザの皮膚の快適性を改善する。特に、丸い端部２２０は、毛ガイド要素２１２が皮膚に接触し皮膚に対して移動する際に、毛を引っ掛けるまたはユーザの皮膚を刺激したりする可能性がある硬い又は鋭いエッジを丸い端部２２０が持たないように、半球形のドーム状の端部表面を備え得る。
【００５７】
従って、毛ガイド２００は、より経験の浅いユーザによっても、またより経験のあるユーザによっても同様に使用可能であり得る、より快適で、効率的で、より容易な毛切断システムを提供する。
【００５８】
図２〜４に示す従来技術の毛ガイド２００では、複数の毛ガイド要素２１２の各々は、前述したように、丸い端部２２０を有する。他の構成では、複数の毛ガイド要素２１２の全てがそのような丸い端部２２０を有し得るわけではないことに留意されたい。
【００５９】
さらに、図２〜４に示す従来技術の毛ガイド２００では、すべての毛ガイド要素２１２の丸い端部２２０は、環状毛ガイド部材２０６、２０８、２１０の中心軸ｙから等距離に配置されているが、代替構成では、毛ガイド要素の丸い端部は、中心軸ｙから異なる距離に配置され得る。
【００６０】
さらに、図２〜４に示す毛ガイド２００では、毛ガイド要素２１２は、隣接する毛ガイド要素の各対の間に等距離で環状毛ガイドゾーン２１４に配置されているが、代替構成では、隣接する毛ガイド要素の対は、代わりに、異なる相互距離で配置され得る。
【００６１】
さらに、図２〜図４に示す従来技術の毛ガイド２００では、毛ガイド要素２１２は、各々等しい形状及び等しい寸法を有するが、代替構成では、毛ガイドは、相互に異なる形状又は相互に異なる寸法を有する毛ガイド要素を有し得る。
【００６２】
さらに、図２〜図４に示す従来技術の毛ガイド２００では、３つの環状毛ガイド部材２０６、２０８、２１０は実質的に同一であるが、代替構成では、毛ガイドは、異なる方法で構成された２つ以上の環状毛ガイド部材を有し得る。例えば、環状毛ガイド部材は、例えば、切断ユニットの特性が互いに異なる場合に、毛ガイド部材の個々の環状毛ガイド部材の各々の毛ガイド特性を、切断装置１００の個々の切断ユニット１０６、１０８、１１０の特性に適合させるために、異なる数の毛ガイド部材又は異なる形状及びサイズの毛ガイド部材を有し得る。
【００６３】
図２〜４に示す従来技術の構成では、毛ガイド２００は、毛ガイド２００が切断ユニット支持部材１０２に結合されるときに、環状毛ガイド部材２０６、２０８、２１０が、毛切断装置１００の切断ユニット支持部材１０２に対して固定された関係で配置されるように構成される。従って、切断ユニット１０６、１０８、１１０及び皮膚支持リム１０７、１０９、１１１は、ユーザの皮膚の輪郭に適合するために、切断ユニット支持部材１０２に対して枢動可能であり得るが、切断ユニット及び皮膚支持リムの上に位置する環状毛ガイド部材２０６、２０８、２１０及び関連する毛ガイド要素２１２は、同様の方法で移動することはできない。これは、毛を切る際に、特に、皮膚の凸領域上で毛を切るときに、ユーザの皮膚に加えられる圧力のピークを導く可能性がある。
【００６４】
図５を参照すると、本発明の一実施形態による毛ガイド５００は、毛ガイド５００のメインボディの形態の毛ガイド支持部材５０２を有する。毛ガイド支持部材５０２は、上述した従来技術の毛ガイド２００の毛ガイド支持部材２０２と同様であり得、従来技術の毛ガイド２００の毛ガイド支持部材２０２に関して説明した特徴は、毛ガイド支持部材５０２に等しく適用され得る。
【００６５】
毛ガイド支持部材５０２は、切断ユニット１０６、１０８、１１０および皮膚支持リム１０７、１０９、１１１の上に毛ガイド５００を毛切断装置１００に解放可能に結合するために、切断ユニット支持部材１０２上に設けられた結合部材１２０に解放可能に結合するように構成される結合部分５０４、または毛切断装置１００のハンドル１０４上に設けられた結合部分を有する。
【００６６】
毛ガイド５００は、各環状毛ガイド部材５０６、５０８、５１０が毛ガイド支持部材５０２上に枢動可能に取り付けられている点で、従来技術の毛ガイド２００とは異なる。その結果、毛ガイド支持部材５０２が毛切断装置１００に結合されるとき、環状毛ガイド部材５０６、５０８、５１０は、毛切断装置１００の切断ユニット支持部材１０２に対して、それぞれの切断ユニット１０６、１０８、１１０と共に、枢動可能である。このようにして、環状毛ガイド部材５０６、５０８、５１０は、毛切断中にユーザの皮膚の形状に適合するように枢動することができる。
【００６７】
図５に示す構成では、環状毛ガイド部材５０６、５０８、５１０は、毛ガイド部材５０２上に枢動可能に取り付けられ、環状毛ガイド部材５０６、５０８、５１０の各々が、それぞれの環状毛ガイド部材の中心５０６ｂ、５０８ｂ、５１０ｂと、環状毛ガイド部材の全ての間の中心点５０３との間の線に垂直であるそれぞれの枢動軸５０６ａ、５０８ａ、５１０ａ周りに枢動可能である。図示の構成では、３つの環状毛ガイド部材５０６、５０８、５１０が設けられ、したがって、環状毛ガイド部材の各々の枢動軸は、他の環状毛ガイド部材の枢動軸に対して１２０度に配置される。
【００６８】
上述したように、毛ガイド５００が切断ユニット支持部材１０２に結合されるとき、毛ガイド５００の環状毛ガイド部材５０６、５０８、５１０は、それぞれ、毛切断装置１００の切断ユニット１０６、１０８、１１０のうちのそれぞれ１つに関連付けられる。それぞれの環状毛ガイド部材の枢動軸５０６ａ、５０８ａ、５１０ａは、対応する切断ユニットの枢動軸１０６ａ、１０８ａ、１１０ａに平行、またはそれらと整列し得る。したがって、それぞれの環状毛ガイド部材５０６、５０８、５１０は、対応する切断ユニット１０６、１０８、１１０と共に枢動することができる。
【００６９】
各環状毛ガイド部材５０６、５０８、５１０は、それぞれの環状支持要素５０７、５０９、５１１、及び複数の毛ガイド要素５１２を有する。図示の実施形態では、毛ガイド要素５１２は、それぞれの環状支持要素５０７、５０９、５１１から上方および半径方向内方に延びる。毛ガイド要素５１２は、環状支持要素５０７、５０９、５１１の周囲に等距離に離間して配置され、環状支持要素５０７、５０９、５１１に固定されるか、または一体的に形成される。
【００７０】
毛ガイド要素５１２は、丸い端部５２０に向かって内側にテーパー状になり、この端部５２０は、環状支持要素５０７、５０９、５１１内に設けられた円形毛受容開口部５１８を一緒に取り囲む。丸い端部５２０は、環状毛ガイド部材５０６、５０８、５１０の皮膚の上の滑らかな通過を確実にする。毛ガイド要素５１２の他の形状および間隔が考えられる。例えば、それぞれの環状毛ガイド部材５０６、５０８、５１０の毛ガイド要素５１２は、円形開口部５１８を画定するのではなく、中央ハブ（図示せず）で交わる。この構成は、環状毛ガイド部材５０６、５０８、５１０の一体性を増大させるが、毛が切断ユニット１０６、１０８、１１０に到達するのを阻止する可能性がある。
【００７１】
環状毛ガイド部材５０６、５０８、５１０は、毛ガイド支持部材５０２に枢動可能に結合されている。この目的のために、図５に示すように、環状支持要素５０７、５０９、５１１は、毛ガイド支持部材５０２上の突起５０２ａ、５０２ｂ、５０２ｃに形成されたスロット内に受け入れられるように、環状支持要素５０７、５０９、５１１から半径方向外方に突出するトラニオン５０７ｂ、５０９ｂ、５１１ｂを有する。
【００７２】
図示のように、各環状支持要素５０７、５０９、５１１は、環状支持要素５０７、５０９、５１１から直径方向に反対方向に延びる２つのトラニオン５０７ｂ、５０９ｂ、５１１ｂを有する。環状支持要素５０７、５０９、５１１のトラニオン５０７ｂ、５０９ｂ、５１１ｂは、それぞれの環状毛ガイド部材５０６、５０８、５１０の枢動軸５０６ａ、５０８ａ、５１０ａの位置を定める。
【００７３】
トラニオン５０７ｂ、５０９ｂ、５１１ｂおよびスロットは、トラニオンが対応するスロット内で回転または枢動することができるように、断面が丸い、または少なくとも部分的に丸く成り得る。これにより、環状毛ガイド部材５０６、５０８、５１０は、毛ガイド支持部材５０２に対して枢動可能に支持される。
【００７４】
図示の構成では、トラニオン５０７ｂ、５０９ｂ、５１１ｂは環状支持要素５０７、５０９、５１１上に形成され、トラニオンを受容するためのスロットは毛ガイド支持部材５０２上に形成されるが、他の構成では、トラニオンが毛ガイド支持部材５０２上に形成され得、環状支持要素５０７、５０９、５１１はトラニオンを受容するためのスロットを有し得ることが等しく想定される。
【００７５】
さらに、図示の構成では、トラニオン５０７ｂ、５０９ｂ、５１１ｂは、環状支持要素５０７、５０９、５１１から半径方向外方に突出するが、トラニオンまたはスロットは、側壁、例えば環状支持要素５０７、５０９、５１１の半径方向外側の側壁に形成され得ることが等しく想定される。例えば、穴又はスロットは、環状支持要素５０７、５０９、５１１内に形成され得、毛ガイド支持部材５０２上に形成されたトラニオンは、スロット内に突出し得る。
【００７６】
上述したように、図２および図６を参照すると、環状毛ガイド部材５０６、５０８、５１０はそれぞれ、環状支持要素５０７、５０９、５１１内に設けられた円形開口部５１８の周りに円周方向に配置された複数の毛ガイド要素５１２を有する。円形開口部５１８及び毛ガイド要素５１２は、図２〜図４を参照して上述した従来技術の毛ガイド２００の円形開口部２１８及び毛ガイド要素２１２と同様にすることができ、円形開口部２１８及び毛ガイド要素２１２に関して説明した特徴は、円形開口部５１８及び毛ガイド要素５１２に等しく適用することができる。
【００７７】
図６を参照すると、各毛ガイド要素５１２は、上面５１２ａおよび下面５１２ｂを有する。毛ガイド５００が、毛切断装置１００の切断ユニット支持部材１０２に結合されるとき、毛ガイド要素５１２の下面５１２ｂの一部が、毛ガイド要素５１２の中央領域５１２ｃにおいて、毛切断装置１００の関連付けられた切断ユニットの主環状壁１１５の外面１１５ａに接触する。中央領域５１２ｃは、回転軸ｘに対して主環状壁１１５の半径方向の延長の大部分にまたがる半径方向距離または長さＤ１にわたって延びる。
【００７８】
本発明による毛ガイド５００の毛ガイド要素５１２は、毛ガイド要素５１２が、毛ガイド要素２１２上に設けられる内方に向けられた丸い端部２２０の代わりに、外方に向けられた丸い端部５２０を有し得るという点で、従来技術の毛ガイド２００の毛ガイド要素２１２とは異なる。外方に向けられた丸い端部５２０は、毛ガイド５００が毛切断装置に結合されているときに、長さＤ２にわたって、外部切断部材１１２に対して外方に、例えば、外部切断部材１１２から離れて、突出するように成形された毛ガイド要素５１２の遠位部分５１２ｄによって形成される。換言すれば、毛ガイド要素の遠位部分５１２ｄは、外部切断部材１１２の外面から離れた成分を有する、例えば、関連する切断ユニットの回転軸ｘに平行な方向の成分を有する方向に延び得る。外方に向けられた丸い端部５２０は、その他の点では、内方に向けられた丸い端部２２０と同様であり得る。
【００７９】
外方に向けられた丸い端部５２０は、実質的に半球状であり得る。代替的には、外方に向けられた丸い端部５２０は、例えば、毛ガイド要素５１２の側面上に、１つまたは複数の平坦な面を有し得る。
【００８０】
図６に示されるように、毛ガイド要素５１２の遠位部分５１２ｄは、例えば回転軸ｘに対して、主環状壁１１５の内方に配置され得る。従って、外方に向けられた丸い端部５２０は、中央壁部分１１８によって形成される環状凹部領域の上に位置する。幾つかの構成では、遠位部分５１２ｄは、例えば、主環状壁１１５の一部を越えて半径方向に内方に延び得る。
【００８１】
この方法で毛ガイド要素５１２の遠位部分５１２ｄを外部切断部材１１２から外方に突出するように成形することは、環状毛ガイド部材５０６、５０８、５１０が切断ユニット１０６、１０８、１１０と共に枢動するとき、特に、環状毛ガイド部材および切断ユニットが、切断ユニットの外面が凹面の部分を画定するように枢動するとき、毛を毛入口開口部１１６に向かって持ち上げ、案内する毛ガイド要素５１２の能力を向上させる。
【００８２】
図６に示されるように、毛ガイド要素５１２の遠位部分５１２ｄが、外部切断部材１１２から離れて突出するように成形されるとき、毛ガイド要素５１２の上面５１２ａおよび下面５１２ｂの両方は、外部切断部材１１２から離れて外向きの成分を有する、例えば、外部切断部材１１２から離れる回転軸ｘの方向の成分を有する方向に延び得る。
【００８３】
図７を参照すると、本発明による毛切断アセンブリ７００、例えば、ヘアトリミングアクセサリは、本発明による切断ユニット支持部材７２０および毛ガイド７４０を有する。切断ユニット支持部材７２０は、図１を参照して上述した毛切断装置１００の切断ユニット支持部材１０２と同様であり、切断ユニット支持部材１０２に対して枢動可能に取り付けられている３つの切断ユニット７２２、７２４、７２６を支持する。
【００８４】
切断ユニット７２２、７２４、７２６は、上述の切断ユニット１０６、１０８、１１０と同様である。特に、切断ユニット７２２、７２４、７２６は、各々、外部切断部材１１２と同様の外部切断部材７２８と、外部切断部材７２８の下に配置される内部切断部材（図示せず）とを有する。内部切断部材は、外部切断部材に形成された毛入口開口部７２８ａを介してそれぞれの切断ユニットに入る毛を切断するために、外部切断部材に対して回転軸ｘ（図７を参照）周りに回転可能である。
【００８５】
毛切断アセンブリ７００は、切断ユニット７２２、７２４、７２６、例えば、切断ユニットの内部切断部材がハンドルに収容されたアクチュエータによって駆動されることを可能にするために、ハンドル１０４などの毛シェービング装置またはトリミング装置のメインボディまたはハンドルに取り外し可能に結合可能であり得る。この目的のために、切断ユニット支持部材７２０は、毛シェービング装置またはトリミング装置のメインボディに設けられた協働結合要素と結合するための適切な結合要素を備え得る。
【００８６】
毛ガイド７４０は、前述のように、毛ガイド５００と同様であり、毛ガイド支持部材７４２と、３つの環状毛ガイド部材７４４、７４６、７４８とを有する。環状毛ガイド部材７４４、７４６、７４８は、環状毛ガイド部材５０６、５０８、５１０と同様である。各環状毛ガイド部材７４４、７４６、７４８は、それぞれの環状支持要素７４５、７４７、７４９と複数の毛ガイド要素７１２とを有する。環状支持要素７４５、７４７、７４９は、各々、毛ガイド支持部材７４２上に枢動可能に取り付けられ、その結果、環状毛ガイド部材７４４、７４６、７４８は、毛ガイド支持部材７４２に対して各枢動軸７４４ａ、７４６ａ、７４８ａ周りに枢動可能することができ、それにより、ユーザの皮膚の輪郭に従うことができる。枢動軸７４４ａ、７４６ａ、７４８ａは、環状支持要素７４５、７４７、７４９の各々と毛ガイド支持部材７４２との間に配置される任意の適切な枢動構造によって実現され得る。枢動構造は、図７には詳細には示されていない。
【００８７】
毛ガイド要素７１２は、毛ガイド要素７１２と対応する環状支持要素７４５、７４７、７４９との間に固定された、すなわち静止した関係が存在するように、対応する環状支持要素７４５、７４７、７４９に固定されて結合され得るまたはこれらと一体的に形成され得る。
【００８８】
毛ガイド７４０は、毛ガイド支持部材７４２が、切断ユニット支持部材７２０に対して固定位置に配置されている点で、毛ガイド５００とは異なる。換言すれば、毛ガイド７４０は、切断ユニット支持部材７２０から取り外すことができない（切断アセンブリ７００を分解することによる以外）。図７に示す構成では、毛ガイド支持部材７４２は、切断ユニット支持部材７２０と一緒に単一の部品を形成するように、切断ユニット支持部材７２０と一体に形成される。
【００８９】
切断ユニット支持部材７２０に固定して結合されたまたは一体的に形成された毛ガイド支持部材７４２を有する毛切断アセンブリ７００では、切断ユニット７２２、７２４、７２６はそれぞれ、毛ガイド７４０の環状支持要素７４５、７４７、７４９のそれぞれの１つによって支持される。図示されるように、環状支持要素７４５、７４７、７４９は、切断ユニットを支持するために、それぞれの切断ユニット７２２、７２４、７２６を取り囲む。
【００９０】
毛ガイド７４０は、毛切断アセンブリ７００の切断ユニット支持部材７２０に対して固定位置に配置されるため、切断ユニット７２２、７２４、７２６、例えば、切断ユニットの外部切断部材７２８は、通常使用中にユーザの皮膚に接触することができない。代わりに、毛ガイド７４０がユーザの皮膚に接触し、切断ユニット７２２、７２４、７２６の外表面は、ほぼ環状毛ガイド部材７４４、７４６、７４８の毛ガイド要素７１２の厚さだけ、ユーザの皮膚から離間される。この構成は、毛切断アセンブリ７００が、上述した毛ガイド２００、５００と同様に、環状毛ガイド部材７４４、７４６、７４８が外部切断部材７２８の主環状壁を覆う位置において、ユーザの毛を毛ガイド要素７１２の厚さにほぼ等しい長さにトリミングするために使用されることを可能にする。
【００９１】
さらに、ユーザの皮膚は、毛切断アセンブリ７００の通常の使用中に切断ユニット７２２、７２４、７２６から離間されているため、ユーザの皮膚の摩耗や刺激を増大させるリスクなしに、外部切断部材７２８の毛入口開口部７２８ａのサイズ、例えば、幅を増大させることができる、すなわち、外部切断部材１１２上に設けられる毛入口開口部１１６と比較して。
【００９２】
毛入口開口部７２８ａのサイズを大きくすることによって、毛は、切断ユニット１０６、１０８、１１０よりも迅速かつ効率的に、切断ユニット７２２、７２４、７２６によって受け取られ、切断されることができる。
【００９３】
図７に示すように、毛ガイド支持部材７４２が、切断ユニット支持部材７２０に固定して結合されるまたは切断ユニット支持部材７２０と一体的に形成される場合、環状支持要素７４５、７４７、７４９は、シェービング中にユーザの皮膚を支持および伸張する際に、図１を参照して上述した毛切断装置１００の皮膚支持リム１０７、１０９、１１１と同じ機能を実行するように構成され得る。環状支持要素７４５、７４７、７４９は、皮膚支持リムに結合されていてもよく、それと一体に形成されていてもよく、またはそれを置き換えてもよい。いずれの場合においても、環状支持要素７４５、７４７、７４９は、シェービング中にユーザの皮膚に接触する環状支持要素の外面が、少なくとも切断ユニット７２２、７２４、７２６の直ぐ周囲の領域において、皮膚支持リム１０７、１０９、１１１と実質的に同じ形状を有するように構成され得る。これは、毛切断アセンブリ７００のリーチが、上述の切断ユニット支持部材１０２と実質的に同じになることを可能にする。
【００９４】
図８を参照すると、本発明による毛切断システム用の部品８００のキットは、第１の毛切断アクセサリ８１０および第２の毛切断アクセサリ８２０を有する。第１の毛切断アクセサリ８１０は、図１の毛切断装置を参照して前述した切断ユニット支持部材１０２および切断ユニット１０６、１０８、１１０と同様の、切断ユニット支持部材１０２と、切断ユニット支持部材１０２によって支持される３つの切断ユニット１０６、１０８、１１０を有する。切断ユニット支持部材１０２は、切断システムのメインボディへの第１の毛切断アクセサリ８１０の取り外し可能な結合のための適切な結合要素を備える。第２の毛切断アクセサリ８２０は、図７を参照して本明細書で前述したように、毛切断アセンブリ７００を有する。上述したように、切断ユニット支持部材１０２および毛切断アセンブリ７００の両方は、毛切断システムのメインボディまたはハンドル１０４に取り外し可能に結合可能である。従って、第１及び第２の毛切断アクセサリ８１０、８２０は、ハンドル１０４に現在結合されている毛切断アクセサリに応じて、ユーザの毛を剃る又はトリミングするように構成された毛切断システムを提供するために、ハンドル１０４に交換可能に結合され得る。部品８００のキットは、ハンドル１０４をさらに有し得る。
【００９５】
図８に示す部品８００のキットでは、第２の毛切断アクセサリ８２０に設けられた切断ユニットの毛入口開口部は、第１の毛切断アクセサリ８１０に設けられた切断ユニットの毛入口開口部より大きい幅を有し得る。
【００９６】
他の構成では、部品８００のキットは、第２のアクセサリ８２０の代わりに、またはこれに加えて、毛ガイド５００を含み得る。毛ガイド５００は、上述の方法で第１のアクセサリ８１０に結合するように構成され得る。
【００９７】
図に示す構成では、毛切断装置１００および毛切断アセンブリ７００は３つの切断ユニット１０６、１０８、１１０、７２２、７２４、７２６を有し、毛ガイド２００、５００、７４０は、３つの切断ユニット１０６、１０８、１１０、７２２、７２４、７２６を有し、これらの切断ユニットは、毛ガイド２００、５００が切断ユニット支持部材１０２に結合されるときに、３つの環状毛ガイド部材の各々が、毛ガイド要素２１２、５１２が関連する切断ユニットの主環状壁１１５を部分的に覆うように、３つの切断ユニット１０６、１０８、１１０、７２２、７２４、７２６のそれぞれの１つと関連付けられるように、毛ガイド支持部材２０２、５０２、７４２に対して配置される。代替実施形態では、毛ガイドは、異なる数の環状毛ガイド部材、例えば、それぞれ２つまたは４つの切断ユニットを有し得る毛切断装置１００または毛切断アセンブリ７００と共に使用するための２つまたは４つの環状毛ガイド部材を有し得る。他の実施形態では、毛ガイドは、それが協働する毛切断装置の切断ユニットの数よりも小さい数の環状毛ガイド部材を有し得る。このような実施形態では、毛ガイドが毛切断装置に結合されているとき、毛切断装置の切断ユニットの全てが毛ガイドの環状毛ガイド部材に関連付けられているわけではなく、切断ユニットの１つまたは複数は、例えば、毛ガイドの環状毛ガイド部材によって覆われていないことがある。毛ガイドの別の変形では、環状毛ガイド部材の少なくとも１つでは、複数の毛ガイド要素は、環状毛ガイド部材の特定の角度セクタにのみ設けられ、一方、環状毛ガイド部材の残りの角度部分には、毛ガイド部材は設けられない。
【００９８】
当業者にとって、異なる毛切断装置は、異なるサイズの切断ユニットを有することは明らかである。このような切断ユニットはよく知られているので、本発明による毛ガイド並びにその部品及び寸法が、どのようにして異なる毛切断装置の特定の切断ユニットに合うように適合させることができるかが理解されるであろう。従って、この場合には、本発明による毛ガイドの特定の特徴を、それが関連付けられる毛切断装置の特徴に関連付けて規定することが適切である。
【００９９】
当業者には理解されるであろうが、本発明は、例として、１つまたは複数の例示的な実施例に関して説明されたが、開示された例に限定されるものではなく、添付の特許請求の範囲によって定められる本発明の範囲から逸脱することなく、代替例を構築することができる。
【図１】
2021525562.tif 000003
【図２】
2021525562.tif 000004
【図３】
2021525562.tif 000005
【図４】
2021525562.tif 000006
【図５】
2021525562.tif 000007
【図６】
2021525562.tif 000008
【図７】
2021525562.tif 000009
【図８】
2021525562.tif 000010
【国際調査報告】
2021525562.tif 000011
2021525562.tif 000012